(57)【要約】【課題】記録装置に設けた表示手段を用いなくとも、又はバックアップ完了を示すための表示手段を記録装置に設けなくとも、記録再生装置から記録装置に送られたデータのバックアップ完了を、明確且つ確実にユーザに示すことを可能にする。【解決手段】本発明の記録装置は、画像データを記録及び再生する記録再生装置と通信接続されて、記録再生装置の記録媒体に記録されたデータをバックアップする。記録装置は、バックアップ完了を示す画像に係る画像ファイルのファイル形式を、バックアップした画像データのファイル形式に基づいて決定する。そして、記録装置は、画像ファイルを生成して記録再生装置に送る。画像ファイルは、記録再生装置の記録手段に記録されて、その画像ファイルを再生する指示が、記録装置から記録再生装置に送られる。【選択図】図５
2006259994.tif 000002
【特許請求の範囲】
【請求項１】
画像データを記録及び再生する記録再生装置と通信接続されて、前記記録再生装置の記録媒体に記録されたデータをバックアップする記録装置において、
バックアップ完了を示す画像に係る画像ファイルのファイル形式を、バックアップした画像データのファイル形式に基づいて決定し、前記画像ファイルを生成して前記記録再生装置に送ることを特徴とする記録装置。
【請求項２】
前記画像ファイルを前記記録再生装置の前記記録媒体に記録する、請求項１に記載の記録装置。
【請求項３】
前記記録媒体に記録された前記画像ファイルを再生する指示を、前記記録再生装置に送る、請求項２に記載の記録装置。
【請求項４】
画像データを記録及び再生する記録再生装置の記録媒体が着脱自在に装着されて、前記記録媒体に記録されたデータをバックアップする記録装置において、
バックアップ完了を示す画像に係る画像ファイルのファイル形式を、バックアップした画像データのファイル形式に基づいて決定し、前記画像ファイルを生成して前記記録媒体に記録することを特徴とする記録装置。
【請求項５】
画像データを記録及び再生する記録再生装置と、前記記録再生装置と通信接続されて、前記記録再生装置から送られたデータをバックアップする記録装置とを含む記録システムにおいて、
前記記録再生装置から送られた前記データが、前記記録装置にバックアップされると、前記記録装置は、バックアップ完了を示す画像に係る画像ファイルのファイル形式を、バックアップした画像データのファイル形式に基づいて決定した後、前記画像ファイルを生成して前記記録再生装置に送ることを特徴とする記録システム。
【請求項６】
前記画像ファイルは、前記記録再生装置の前記記録媒体に記録される、請求項５に記載の記録システム。
【請求項７】
前記記録装置は、前記記録媒体に記録された前記画像ファイルを再生する指示を前記記録再生装置に送る、請求項６に記載の記録システム。
【請求項８】
画像データを記録及び再生し、記録媒体が着脱自在に装着される記録再生装置と、前記記録媒体が着脱自在に装着されて、前記記録媒体に記録されたデータをバックアップする記録装置とを含む記録システムにおいて、
前記記録装置は、バックアップ完了を示す画像に係る画像ファイルのファイル形式を、バックアップした画像データのファイル形式に基づいて決定した後、前記画像ファイルを生成して、前記記録装置に装着された前記記録媒体に記録することを特徴とする記録システム。
【請求項９】
画像データを記録及び再生する記録再生装置に記録されたデータを、前記記録再生装置と通信接続された記録装置に送ってバックアップするデータ記録方法において、
前記記録装置にて、バックアップした画像データのファイル形式を特定する工程と、
前記記録装置にて、特定したファイル形式に基づいて、バックアップ完了を示す画像に係る画像ファイルのファイル形式を決定し、前記画像ファイルを生成する工程と、
前記記録装置から前記記録再生装置に前記画像ファイルを送る工程とを含むことを特徴とするデータ記録方法。
【請求項１０】
前記画像ファイルを、前記記録再生装置の前記記録媒体に記録する工程を含む、請求項９に記載のデータ記録方法。
【請求項１１】
前記記録装置から前記記録再生装置に、前記記録媒体に記録された前記画像ファイルを再生する指示を送る工程を含む、請求項１０に記載のデータ記録方法。
【請求項１２】
画像データを記録及び再生する記録再生装置の記録媒体に記録されたデータを、前記記録媒体が着脱自在に装着される記録装置にバックアップするデータ記録方法において、
前記記録媒体を前記記録装置に装着して、前記データを前記記録装置にバックアップする工程と、
前記記録装置にて、バックアップした画像データのファイル形式を特定する工程と、
前記記録装置にて、特定したファイル形式に基づいて、バックアップ完了を示す画像に係る画像ファイルのファイル形式を決定し、前記画像ファイルを生成する工程と、
前記記録媒体に前記画像ファイルを記録する工程とを含むことを特徴とするデータ記録方法。
【発明の詳細な説明】
【技術分野】
【０００１】
本発明は、画像データを記録及び再生する記録再生装置に記録されたデータをバックアップする記録装置及びデータ記録方法と、このような記録再生装置及び記録装置を含む記録システムとに関する。
【背景技術】
【０００２】
一般に、画像データの記録及び再生を行うデジタルカメラ等の記録再生装置では、撮影された画像に関する画像データは、記録再生装置に着脱自在に装着されるＩＣメモリカード等の記録媒体に記録される。このような記録媒体の記録容量は比較的小さく、さらに、このような記録媒体は比較的高価であって、ユーザが多数所持するのが困難であること。故に、一般的な記録再生装置には、外部機器と接続するためのインターフェイスが設けられており、そのインターフェイスを介して外部機器と通信接続して画像データを転送することで、画像データのバックアップが行われている。
【０００３】
一般的な記録再生装置には、ＵＳＢ(Universal Serial Bus)インターフェイスが設けられており、例えば、同じくＵＳＢインターフェイスが設けられたパーソナルコンピュータ(以下、「ＰＣ」と称する)が外部機器として用いられて、記録再生装置の画像データは、ＵＳＢを介してＰＣ内のハードディスクにバックアップされる。また、画像データが記録された記録媒体を、記録再生装置から取り外してＰＣに装着することで、画像データをＰＣ内のハードディスクにバックアップすることも行われている。
【０００４】
【特許文献１】特開２００２−３４４５３７公報
【特許文献２】特開２００３−７８８４４公報
【発明の開示】
【発明が解決しようとする課題】
【０００５】
ＰＣを用いてデータのバックアップを行うと、バックアップされたデータの持ち運びが困難になることから、近年、ハードディスク装置等の記録手段を搭載しており、ＵＳＢ等を介して記録再生装置と通信接続可能であって、小型で携帯可能な記録装置である所謂ストレージャが、データのバックアップに利用されている。通常、ストレージャには、データ転送が現在行われていることをユーザに示すＬＥＤ又は小型のモノクロＬＣＤ等の表示手段が設けられている。記録再生装置とストレージャとが通信接続されてバックアップ動作が行われている間、このような表示手段の表示が変化することによって、ユーザは、バックアップ動作が現在進行中であることを知る。バックアップが完了すると、ストレージャへのデータ転送が行われていないことから、表示手段の表示は消える。これによって、ユーザは、ストレージャへのデータのバックアップが完了したことを理解する。
【０００６】
しかしながら、上記のような表示手段は、あくまでデータ転送中の状態を示す手段であって、バックアップの完了を積極的に表示するものではない。例えば、ストレージャに対してバックアップ動作を指示する操作を行った後に、ユーザがその場から直ちに離れてしまった場合、バックアップ完了後に戻ったところで、バックアップが完了したのか、又は、そもそもバックアップ動作自体が正常に行わなかったのかを、表示手段を見て区別することはできない。さらに、表示手段にＬＥＤを用いている場合には、その点滅又は点灯がユーザに認知され難いという問題がある。
【０００７】
一方で、数インチ程度のカラーＬＣＤが設けられたストレージャでは、バックアップ完了後にその旨を示す画面をＬＣＤに表示することで、ユーザに対して明確且つ確実に、バックアップ完了を知らせることができる。しかし、このような構成を有するストレージャは、画像データのバックアップ手段であると共に、画像データの再生手段であることも目的としており、このようなＬＣＤを具えることによって大型且つ高価になっている。データのバックアップを主目的した単機能のストレージャは、廉価且つ小型であることが求められている。故に、バックアップ完了をユーザに知らせる目的で、このような単機能のストレージャに数インチのＬＣＤを設けることは非現実的である。
【０００８】
本発明は、記録装置に設けたＬＥＤやＬＣＤ等の表示手段を用いなくとも、又はバックアップ完了をユーザに示すための表示手段を記録装置に設けなくとも、記録再生装置から送られたデータのバックアップ完了を、明確且つ確実にユーザに示すことができる記録装置、記録システム及びデータの記録方法を提供する。
【課題を解決するための手段】
【０００９】
本発明の記録装置は、画像データを記録及び再生する記録再生装置と通信接続されて、前記記録再生装置の記録媒体に記録されたデータをバックアップする記録装置において、バックアップ完了を示す画像に係る画像ファイルのファイル形式を、バックアップした画像データのファイル形式に基づいて決定し、前記画像ファイルを生成して前記記録再生装置に送ることを特徴とする。
【００１０】
さらに、本発明の記録装置は、前記画像ファイルを前記記録再生装置の前記記録媒体に記録する。さらに、本発明の記録装置は、前記記録媒体に記録された前記画像ファイルを再生する指示を前記記録再生装置に送る。
【００１１】
また、本発明の記録装置は、画像データを記録及び再生する記録再生装置の記録媒体が着脱自在に装着されて、前記記録媒体に記録されたデータをバックアップする記録装置において、バックアップ完了を示す画像に係る画像ファイルのファイル形式を、バックアップした画像データのファイル形式に基づいて決定し、前記画像ファイルを生成して前記記録媒体に記録することを特徴とする。
【００１２】
本発明の記録システムは、画像データを記録及び再生する記録再生装置と、前記記録再生装置と通信接続されて、前記記録再生装置から送られたデータをバックアップする記録装置とを含む記録システムにおいて、前記記録再生装置から送られた前記データが、前記記録装置にバックアップされると、前記記録装置は、バックアップ完了を示す画像に係る画像ファイルのファイル形式を、バックアップした画像データのファイル形式に基づいて決定した後、前記画像ファイルを生成して前記記録再生装置に送ることを特徴とする。
【００１３】
さらに、本発明の記録システムでは、前記画像ファイルは、前記記録再生装置の前記記録媒体に記録される。さらに、本発明の記録システムでは、前記記録装置は、前記記録媒体に記録された前記画像ファイルを再生する指示を前記記録再生装置に送る。
【００１４】
本発明のデータ記録方法は、画像データを記録及び再生する記録再生装置に記録されたデータを、前記記録再生装置と通信接続された記録装置に送ってバックアップするデータ記録方法において、前記記録装置にて、バックアップした画像データのファイル形式を特定する工程と、前記記録装置にて、特定したファイル形式に基づいて、バックアップ完了を示す画像に係る画像ファイルのファイル形式を決定し、前記画像ファイルを生成する工程と、前記記録装置から前記記録再生装置に前記画像ファイルを送る工程とを含むことを特徴とする。
【００１５】
さらに、本発明のデータ記録方法は、前記画像ファイルを、前記記録再生装置の前記記録媒体に記録する工程を含む。さらに、本発明のデータ記録方法は、前記記録装置から前記記録再生装置に、前記記録媒体に記録された前記画像ファイルを再生する指示を送る工程を含む。
【発明の効果】
【００１６】
本発明では、記録再生装置のデータが記録装置にてバックアップされると、バックアップされた画像データのファイル形式に基づいて、バックアップが完了したことを示す画像ファイルが記録装置にて生成される。これによって、記録再生装置で再生可能なファイル形式で画像ファイルが生成される。そして、生成された画像ファイルが記録再生装置に送られて再生されることで、ユーザに対して、バックアップ完了を明確且つ確実に知らせることができる。なお、画像データのファイル形式が特定できない場合、記録再生装置で再生可能と推測される所定の形式で、画像ファイルが生成されるのが好ましい。さらに、このような場合、記録再生装置の記録媒体のフォルダ構成及び又はファイル構成を解析することで記録再生装置の仕様が推測されて、生成する画像ファイルのファイル形式が決定されるのが好ましい。これにより、記録再生装置の仕様に拘わらず、記録装置から送られた画像ファイルが記録再生装置にて確実に再生される。
【００１７】
本発明の実施上、画像ファイルは、バックアップされるデータを記録した記録再生装置の記録媒体に書き込まれるのが好ましい。現在一般的に採用されている記録再生装置の仕様では、画像ファイルを格納するフォルダのフォルダ名の書式と、画像ファイルのファイル名の書式とが定められている。そして、これら書式に基づいて画像ファイルをソートした場合に最下位になる画像ファイルが、記録再生装置の電源がオンにされた後に、デフォルトとして表示される。従って、記録装置で生成された画像ファイルが送られる記録媒体のフォルダと、その画像ファイルのファイル名とは、記録再生装置にてファイルをソートした場合に、最も下位になるように定められるのが好ましい。これによって、記録再生装置の電源がオンにされると直ちに、バックアップ完了を示す画像が、記録再生装置に表示される。
【００１８】
記録再生装置の記録媒体に記録された画像ファイルを、記録装置から記録再生手段に送られる指示に基づいて再生することで、バックアップ完了を知らせる表示が、記録再生装置にて自動的に行われる。これによって、記録再生装置の操作手段が操作されることなく、さらに、バックアップ完了後直ちに、ユーザにその旨を示すことができる。なお、記録再生装置と記録装置とを通信接続することで、バックアップされるデータと、バックアップ完了を知らせる画像ファイルとの転送が行われてもよいが、記録再生装置の記録媒体を記録装置に直接装着することで、データを記録媒体にバックアップし、画像ファイルを記録媒体に書き込んでもよい。
【発明を実施するための最良の形態】
【００１９】
以下、本発明の実施例について、図を用いて説明する。図１は、本発明の実施例である記録システム(1)の概要を示す説明図である。記録システム(1)は、画像データを記録及び再生する記録再生装置(3)と、記録再生装置(3)に記録されたデータをバックアップ用に記録する記録装置(7)とを含んでいる。記録再生装置(3)と記録装置(7)は、通信ケーブル(11)を用いて通信可能に接続される。本実施例では、記録再生装置(3)はデジタルカメラであり、記録装置(7)は、データのバックアップを主機能とするストレージャである。また、通信ケーブル(11)は、ＵＳＢケーブルであって、記録再生装置(3)と記録装置(7)は、ＵＳＢ規格の通信プロトコルに基づいてデータ通信を行う。
【００２０】
図２は、記録再生装置(3)の構成を示すブロック図である。記録再生装置(3)は、各種制御及び処理に必要な演算を行うＣＰＵ(30)と、これら制御及び処理を記述したプログラム等を記憶するＲＯＭ(32)と、ＣＰＵ(30)の演算に用いる一時的なデータの記憶等を行うＲＡＭ(34)とを含んでいる。ＣＰＵ(30)には、バスを介して、ＲＯＭ(32)及びＲＡＭ(34)が接続されており、さらに、システムコントローラ(36)、ＵＳＢデバイスコントローラ(38)及び記録媒体ドライブ(40)が接続されている。ＵＳＢデバイスコントローラ(38)は、ホスト側の機器(本実施例では記録装置(7))とファンクション側の機器(本実施例では記録再生装置(3))との間で行われる通信を、ファンクション側にて制御する。ＵＳＢデバイスコントローラ(38)には、ＵＳＢ端子(42)が接続されており、このＵＳＢ端子(42)には、通信ケーブル(11)の一端が挿入される。記録媒体ドライブ(40)には、記録媒体(44)が着脱自在に装着される。本実施例では、記録媒体(44)として、ＩＣメモリカード等のカード型記録媒体が用いられているが、ＤＶＤ−Ｒのようなディスク型記録媒体が用いられてもよく、ハードディスクのような記録再生装置(3)に内蔵される記録媒体が用いられてもよい。
【００２１】
システムコントローラ(36)には、電源ボタン、レリーズボタン、再生キー及び十字キー等を含む操作部(46)と、通信中ＬＥＤ(48)と、アクセスＬＥＤ(50)とが接続されている。システムコントローラ(36)は、電源のオン・オフなどの記録再生装置(3)の基本的な動作を制御する手段であり、操作部(46)からの入力信号等を処理して、操作に対応したコマンド信号をＣＰＵ(30)に送る。また、システムコントローラ(36)は、記録再生装置(3)と記録装置(7)との間でデータの送受信が行われている間、通信中ＬＥＤ(48)を点滅(又は点灯)させ、記録媒体(44)へのアクセスが行われている間、アクセスＬＥＤ(50)を点滅(又は点灯)させる。ＣＰＵ(30)には、さらに、ビデオエンコーダ(52)を介して表示部(54)が接続されている。表示部(54)には、例えばＬＣＤが用いられ、記録媒体(44)に記録された画像データの再生画像や各種設定画面等が表示される。
【００２２】
記録再生装置(3)が撮影モードで動作を開始すると、被写体から送られる光が撮像レンズ(56)で集光されて、イメージセンサ(58)の受光部に照射される。イメージセンサ(58)には、例えばＣＣＤ素子やＣＭＯＳ素子等が用いられる。イメージセンサ(58)は、照射された光を電気的な画像信号に変換し、通常、撮影モードでは、イメージセンサ(58)の画素の一部から読み出された画像信号が信号処理回路(60)に送られる。信号処理回路(60)は、イメージセンサ(58)から送られた画像信号に対して、ゲイン調整やデジタル化等の処理を施す。その後、画像信号は、ＣＰＵ(30)を介して、ビデオエンコーダ(52)に送られて、例えばＮＴＳＣ方式のビデオ信号に変換される。そして、ビデオエンコーダ(52)から送られたビデオ信号が表示部(54)に表示される。
【００２３】
撮影モードでは、上述したイメージセンサ(58)への露光、画像信号の読出し及び処理が所定の周期で行われて、表示部(54)には、被写体のスルー画像(動画像)がリアルタイムで表示される。表示部(54)は、所謂電子ファインダとして機能しており、適当な瞬間にレリーズボタンが押されると、記録再生装置(3)は、被写体の静止画像(以下、単に「画像」と称す)を撮影及び記録する。具体的には、レリーズボタンが押されると、イメージセンサ(58)の全画素から画像信号が読み出されて、信号処理回路(60)に送られる。信号処理回路(60)は、画像信号に対して、ゲイン調整やデジタル化等の処理に加えて、符号化を行う場合は、ＪＰＥＧ方式等の方式に基づいて符号化処理を施す。なお、ＴＩＦＦ方式等の非圧縮画像の場合、符号化処理は行われない。その後、ＣＰＵ(30)によって、Ｅｘｉｆ規格等に基づいて付加情報を加える処理などが行われて、画像信号は、画像ファイルとして記録媒体(44)に記録される。
【００２４】
このようにして、記録再生装置(3)では画像の撮影が行われて、撮影された画像に係る画像ファイルが、記録媒体(44)に次々に記録されていく。そして、例えば、記録されている全画像ファイルのデータ量が、記録媒体(44)の記録容量近くに至ると、ユーザは、図１に示すように記録再生装置(3)に記録装置(7)を接続して、記録媒体(44)に記録された画像データのバックアップを行う。
【００２５】
なお、記録再生装置(3)には、ＵＳＢ端子(42)を介してＰＣ等を接続させることも可能であって、記録媒体(44)には、そのような外部機器から送られたテキストデータや音声データ等の画像データ以外のデータが、また、記録再生装置(3)で再生できない画像データが記録されることも起こり得る。また、記録再生装置(3)が動画像を撮影する機能を具えている場合、記録媒体(44)には、(静止)画像データに加えて、動画像データも記録される。このような場合、記録媒体(44)に記録されたデータのバックアップが行われると、画像データ以外のデータも(極端な場合には、画像データを全く含まないデータが)、記録装置(7)に送られて記録される。
【００２６】
図３は、記録装置(7)の構成を示すブロック図である。各種制御及び処理に必要な演算を行うＣＰＵ(70)と、これら制御及び処理を記述したプログラム等を記憶するＲＯＭ(72)と、ＣＰＵ(70)の演算に用いる一時的なデータの記憶等を行うＲＡＭ(74)とを含んでいる。なお、ＲＡＭ(74)は、後述するバックアップ完了画像ファイルを生成する処理にて、ワークエリアとして用いられる。ＣＰＵ(70)には、バスを介して、ＲＯＭ(72)及びＲＡＭ(74)が接続されており、さらに、システムコントローラ(76)、ＵＳＢデバイスコントローラ(78)、ＵＳＢホストコントローラ(80)、ＩＤＥ(Integrated Drive Electronics)制御回路(82)とが接続されている。ＩＤＥ制御回路(82)には、記録手段であるハードディスク装置(以下、「ＨＤＤ」と称す)(84)が接続されている。システムコントローラ(76)には、電源ボタンやバックアップ開始キー等を含む操作部(86)と、通信中ＬＥＤ(88)とが接続されている。システムコントローラ(76)は、記録装置(7)と記録再生装置(3)との間でデータの送受信が行われている間、通信中ＬＥＤ(88)を点滅(又は点灯)させる。
【００２７】
本実施例の記録装置(7)には、２つのＵＳＢ端子(90)(92)が設けられており、一方のＵＳＢ端子(90)は、ＵＳＢデバイスコントローラ(78)に接続されている。ＵＳＢ端子(90)は、ＰＣ等のホスト側の機器(図示省略)と記録装置(7)とをＵＳＢケーブルで接続するために設けられており、これによって、ホスト側の機器に記録されている画像データ、音声データやテキストデータ等を記録装置(7)に送ってＨＤＤ(84)に記録すること、又は、ＨＤＤ(84)に記録されたデータをホスト側の機器に記録することが可能となる。他方のＵＳＢ端子(92)は、ホスト側の機器(本実施例では記録装置(7))とファンクション側の機器(本実施例では記録再生装置(3))との間の通信をホスト側にて制御するＵＳＢホストコントローラ(80)に接続されている。図１に示すように記録再生装置(3)と記録装置(7)が接続される場合、ＵＳＢ端子(92)には、通信ケーブル(11)の一端が挿入される。
【００２８】
図１に示すように記録再生装置(3)と記録装置(7)とが接続されると、記録再生装置(3)の記録媒体(44)に記録されているデータを記録装置(7)に送って、記録装置(7)のＨＤＤ(84)に記録すること、及び、記録装置(7)のＨＤＤ(84)に記録されたデータを記録再生装置(3)に送って、記録再生装置(3)の記録媒体(44)に記録することが可能となる。記録装置(7)の操作部(86)のバックアップ開始キーが押されると、記録媒体(44)に記録されているデータをＨＤＤ(84)に記録するバックアップ動作が開始される。バックアップ動作の最中には、記録装置(7)の通信中ＬＥＤ(88)が点滅することから、ユーザは、通信中ＬＥＤ(88)の点滅が終了したことを確認することで、バックアップ動作が終了したことを知る。
【００２９】
通信中ＬＥＤ(88)の点滅が視認し難いこと、バックアップ開始キーを押した後にユーザがその場を離れた場合、点滅終了後の(又はそもそも点滅していない)通信中ＬＥＤ(88)を見ても、バックアップが正しく終了したか否かを判断できない。しかしながら、本実施例の記録システム(1)では、以下に詳述するように、バックアップ完了後に、図４に示すようにバックアップ完了をユーザに告げる画像に係るバックアップ完了画像ファイルを記録装置(7)にて生成し、それを記録再生装置(3)に送って表示部(54)に表示させることで、バックアップが完了したことが、ユーザに対して明確且つ確実に示される。バックアップ完了画像ファイルは、記録再生装置(3)の記録媒体(44)に記録されて、その再生を指示するコマンドを、記録装置(7)が記録再生装置(3)に送信することで、バックアップ完了を告げる画像が表示部(54)に表示される。
【００３０】
図５は、記録再生装置(3)に記録されたデータのバックアップ動作において、記録装置(7)のＣＰＵ(70)によって実行される処理を示すフローチャートである。なお、以下の説明では、記録再生装置(3)の記録媒体(44)には画像データのみが記録されていると仮定する(しかしながら、後述するように、画像データ以外のデータが混在していても、又は、データに画像データが含まれていなくとも、本実施例の記録システム(1)は、バックアップ完了画像ファイルを記録再生装置(3)にて再生可能である)。
【００３１】
まず、操作部(46)の電源ボタンが押されると、記録再生装置(3)が、ＵＳＢ端子(92)を介して記録装置(7)に新規にＵＳＢ接続されているか否かが判別される(Ｓ１)。ステップＳ１にて記録再生装置(3)の新規接続が検出された場合、記録再生装置(3)からデバイス情報を取得及び確認する処理が行われた後(Ｓ３)、記録媒体(44)のＦＡＴ情報が記録再生装置(3)から取得されて、ＲＡＭ(74)に記憶される(Ｓ５)。ステップＳ１にて、記録再生装置(3)の新規接続が検出されなかった場合、記録再生装置(3)と記録装置(7)のＵＳＢ接続が切断されているか否かが判別される(Ｓ７)。ステップＳ７にて、ＵＳＢ接続の切断が検出された場合、ＲＡＭ(74)に記憶したＦＡＴ情報が消去されて、ステップＳ１が再度行われる。ＵＳＢ接続の切断が検出されなかった場合、操作部(86)のバックアップ開始キーが押されたか否か判別される(Ｓ１１)。ステップＳ１１にて、バックアップ開始キーの押下が検出されない場合、ステップＳ１が再度行われる。
【００３２】
ステップＳ１１にて、バックアップ開始キーの押下が検出されるとバックアップ処理が開始され、ステップＳ５にて取得したＦＡＴ情報に基づいて、記録再生装置(3)の記録媒体(44)に記録されている全画像ファイルの取得とＨＤＤ(84)への記録とが行われる。まず、ステップＳ１１の後、記録媒体(44)に記録されている１つの画像ファイルが記録再生装置(3)から取得されて(Ｓ１３)、ＨＤＤ(84)に書き込まれる(Ｓ１５)。そして、ステップＳ１５の後、記録媒体(44)に記録されている全ての画像ファイルがＨＤＤ(84)に書き込まれたか否かが判断される(Ｓ１７)。ステップＳ１７にて、ＨＤＤ(84)に書き込まれていない画像ファイルがあると判断された場合、ＲＡＭ(74)に記憶したバックアップファイル数ｎがインクリメントされる(Ｓ１９)。そして、ステップＳ１３が再度行われる。なお、ステップＳ１１の後にステップＳ１３が行われる場合、初回のステップＳ１３を行う前に、記録装置(7)のＨＤＤ(84)に新規フォルダが作成されて(フォルダ名は、作成する毎に番号がインクリメントされるように連番で命名される)、作成したそのフォルタ下に、記録再生装置(3)の記録媒体(44)と同じ構成で(フォルダ名及びツリー構造が同じになるように)複数のフォルダが作成され、バックアップされた画像ファイルの各々は、記録媒体(44)と同じフォルダに格納される。
【００３３】
ステップＳ１３及びＳ１５が繰り返されて、記録媒体(44)に記録された全ての画像ファイルがＨＤＤ(84)に書き込まれると、バックアップファイル数ｎがＦＡＴ情報から特定された総ファイル数に等しくなって、ステップＳ１７にて、全ての画像ファイルがバックアップされたと判断される。全ての画像ファイルがバックアップされると、バックアップされた画像ファイルのファイル形式を特定する解析処理が行われる(Ｓ２１)。ステップＳ２１の後、その結果に基づいて、図４に示すようなバックアップ完了を告げる画像を表示するためのバックアップ完了画像ファイルが生成される(Ｓ２３)。ステップＳ２１及びＳ２３の詳細については後述する。
【００３４】
後述するようにステップＳ２１(より具体的には、図１１に示すステップＳ５１)では、フォルダの名称及び構造も含めて、記録再生装置(3)の記録媒体(44)に記録された画像ファイルの名称が所定の仕様に準拠している否かが判断される。ステップＳ２３の後、ステップＳ２１にて行われたこの判断結果が確認される(Ｓ２５)。現在最も広く採用されているデジタルカメラのファイル仕様はＤＣＦ(Design rule for Camera File system)であって、本実施例では、記録再生装置(3)のフォルダの名称及び構造と、画像ファイルの名称とがＤＣＦに準拠しているか否かが判断される。
【００３５】
図６は、ＤＣＦに準拠したデジタルカメラにおける、記録媒体のフォルダ構成を示す説明図である。ＤＣＦでは、ルートフォルダの下にＤＣＩＭフォルダが配置され、ＤＣＩＭフォルダの下に、画像ファイルを格納する複数のフォルダが並置される。これらフォルダのフォルダ名は８文字と定められており、上位３文字が“１００”〜“９９９”のフォルダ番号で、下位５文字が任意の英数字(アンダースコア“＿”を含む)文字列となっている。フォルダ番号は、通し番号となっている。図７は、ＤＣＦに準拠したデジタルカメラにおける、画像ファイルのファイル名の構成を示す説明図である。ＤＣＦでは、ファイル名(拡張子を除く)は８文字と定められており、上位４文字が英数字(アンダースコア“＿”を含む)などの自由文字列となっており、下位４文字が“０００１”〜“９９９９”のファイル番号となっている。ファイル番号は、同一フォルダ内で重複しないようにされる。
【００３６】
ステップＳ２１では、生成したフォルダの名称及び構造と、バックアップした画像ファイルの名称とが、図６及び図７に示す条件を夫々満たすか否かが確認されて、フォルダ構成も含めて、記録再生装置(3)のファイル構成がＤＣＦに準拠している否かが判断される(あくまで見掛け上の判断である)。ファイル構成がＤＣＦに準拠しているとのステップＳ２１の判断結果が、ステップＳ２５にて確認された場合、ファイル名のフォルダ番号が最大であるフォルダが選択される(Ｓ２７)。
【００３７】
ステップＳ２７の後、このステップで選択されたフォルダ内に格納されている画像ファイルのファイル名について、最大のファイル番号が特定されて、そのファイル番号よりも大きいファイル番号を有するように(例えば、１だけ大きいファイル番号を有するように)、ステップＳ２３にて生成したバックアップ完了画像ファイルのファイル名が決定される(Ｓ２９)。つまり、ステップＳ２９では、記録再生装置(3)の画像ファイルがＤＣＦに準拠している場合に、記録再生装置(3)にてファイルソートが行われると最下位になるように、バックアップ完了画像ファイルのファイル名が決定される。
【００３８】
記録再生装置(3)のファイル構成はＤＣＦに準拠していないとのステップＳ２１の判断結果が、ステップＳ２５にて確認された場合、記録再生装置(3)の記録媒体(44)にフォルダが存在するか否かが確認される(Ｓ３１)。フォルダが存在する場合、記録媒体(44)に存在するフォルダ名を所定の順序(例えばアルファベット順)でソートして、最下位になるフォルダ名を有するフォルダが選択される(Ｓ３３)。フォルダが存在しない場合、ルートフォルダが選択される(Ｓ３５)。
【００３９】
ステップＳ３３又はＳ３５の後、選択されたフォルダ又はルートフォルダにあるファイルを所定の順序(例えばアルファベット)でソートして、最下位になるファイルのファイル名を特定し、特定したファイル名よりも下位になるように、バックアップ完了画像ファイルのファイル名が決定される(Ｓ３７)。つまり、ステップＳ３７では、選択されたフォルダ又はルートフォルダにバックアップ完了画像ファイルが格納された場合に、ファイルソートで最下位になるように、バックアップ完了画像ファイルのファイル名が決定される。
【００４０】
ステップＳ２９が行われた場合、そのステップで決定されたファイル名で、ステップＳ２７で特定されたフォルダに格納されるように、バックアップ完了画像ファイルが記録再生装置(3)の記録媒体(44)に書き込まれる(Ｓ３９)。また、ステップＳ３９では、ステップＳ３７が行われた場合、そのステップで決定されたファイル名で、ステップＳ３３で選択されたフォルダ又はルートフォルダに格納されるように、バックアップ完了画像ファイルが記録再生装置(3)の記録媒体(44)に書き込まれる。
【００４１】
ステップＳ３９の後、記録再生装置(3)の記録媒体(44)に記録されたバックアップ完了画像ファイルの再生を指示するコマンドが、より具体的には、記録媒体(44)に記録された画像ファイルについてファイルソートした結果、最下位になる画像ファイルの再生を指示するコマンドが、記録装置(7)から記録再生装置(3)に送信される(Ｓ４１)。その結果、記録再生装置(3)にて、バックアップ完了画像ファイルが再生されて、図４に示すバックアップ完了を告げる画像が、表示部(54)に表示される。これにて、バックアップが完了したことが、ユーザに対して明確且つ確実に且つ知らされる。
【００４２】
ステップＳ４１にて記録装置(7)から記録再生装置(3)に送信されるコマンドは、ＵＳＢ規格の通信プロトコル(より詳細には、ＵＳＢマスストレージクラス)にて定義されたＣＢＷ(Command Block Wrapper)を利用して送信される。図８は、ＣＢＷのフォーマットを示す説明図である。ＣＢＷは、３１バイト×８ビットで構成されており、Ｂｙｔｅ０〜３には、ＣＢＷを示す識別子であるｄＣＢＷｓｉｇｎａｔｕｒｅ(４３４２５３５５ｈ)が記述されている。Ｂｙｔｅ４〜７には、ＣＢＷのタグ番号を示すｄＣＢＷＴａｇが、Ｂｙｔｅ８〜１１には、転送バイト数を示すｄＣＢＷＤａｔａＴｒａｎｓｆｅｒＬｅｎｇｔｈが、Ｂｙｔｅ１２には、データ転送方向を示すｂｍＣＢＷＦｌａｇが記述されている。このＢｙｔｅ１２を構成するＢｉｔ７の値によってデータ転送方向が決定されており、Ｂｉｔ７が０である場合、ファンクション(記録再生装置(3))からホスト(記録装置(7))へのデータ転送となり、Ｂｉｔ７が１である場合、ホストからファンクションへのデータ転送となる。さらに、Ｂｙｔｅ１３の後半４ビット(Ｂｉｔ３〜０)には、ロジカルユニット番号を示すｂＣＢＷＬＵＮが、Ｂｙｔｅ１４の後半５ビット(Ｂｉｔ４〜０)には、以下で説明するＣＢＷＣＢの有効バイト数を示すｂＣＢＷＣＢＬｅｎｇｔｈが記述されている。なお、Ｂｙｔｅ１３の前半４ビット(Ｂｉｔ７〜４)及びＢｙｔｅ１４の前半３ビット(Ｂｉｔ７〜５)は、予備のビット(Ｒｅｓｅｒｖｅｄ)である。
【００４３】
Ｂｙｔｅ１５〜３０には、ＣＢＷＣＢ(ＣＢＷのＣｏｍｍａｎｄ Ｂｌｏｃｋ)が記述される。ホストからファンクションに対してコマンドが送られる場合には、そのコマンドに応じて記述されたＣＢＷＣＢを含んだＣＢＷが、ホストからファンクションに送信される。図９は、ＣＢＷＣＢの構成を示す説明図である。Ｂｙｔｅ０には、コマンドの種類を示すＯｐｅｒａｔｉｏｎ Ｃｏｄｅが記述される。Ｂｙｔｅ０の前半３ビット(Ｂｉｔ７〜５)は、コマンドのタイプを示しており、これら３ビットの値が７ｈ又は６ｈである場合、ベンダーユニーク仕様のコマンドとなる。Ｂｙｔｅ１〜１１には、Ｏｐｅｒａｔｉｏｎ Ｃｏｄｅに基づくＯｐｅｒａｔｉｏｎ Ｄａｔａが記述される。なお、残りのＢｙｔｅ１２〜１５は未使用である。ステップＳ４１にて、バックアップ完了画像ファイルの再生を指示するコマンドが、記録装置(7)から記録再生装置(3)に送られる場合、図１０に示すようなＣＢＷＣＢを含むＣＢＷが、記録装置(7)から記録再生装置(3)に送信される。
【００４４】
上述のようにして、記録装置(7)から記録再生装置(3)にコマンドが送信されると、バックアップ完了画像ファイルが記録再生装置(3)にて再生されるが、記録再生装置(3)がこのコマンドを理解又は認識しない場合も想定される。しかしながら、本発明の記録システム(1)では、先に説明したように、ファイルソートの結果最下位になるように、バックアップ完了画像ファイルを記録再生装置(3)の記録媒体(44)に記録している。ＤＣＦに準拠した記録再生装置(3)では、最大フォルダ番号を有するフォルダに格納された最大ファイル番号を有する画像ファイルが、電源投入後にデフォルトとして再生される。従って、図５に示すステップＳ２７及びＳ２９を行って、ステップＳ３９にてバックアップ完了画像ファイルを記録媒体(44)に書き込むことで、記録再生装置(3)の電源がオンにされた場合、バックアップ完了画像ファイルが直ちに再生される。なお、通信ケーブル(11)を介して記録装置(7)から必要な電力が供給されるので、バックアップ動作中、記録再生装置(3)の電源はオフにされてよい。ＤＣＦに準拠していない記録再生装置(3)であっても、電源がオンにされると、通常アルファベット順のファイルソートで最下位になる画像ファイルを再生する構成を採用しているものが多い。従って、仮に、記録再生装置(3)が上述のコマンドを認識又は実行出来なくとも、大抵の記録再生装置(3)にて、記録再生装置(3)の電源をオンにすることで、バックアップ完了画像ファイルが再生される。
【００４５】
次に、バックアップされた画像ファイルのファイル形式を特定する解析処理(図５のステップＳ２１)について説明する。図１１は、ＣＰＵ(70)により実行される解析処理の詳細を示すフローチャートである。まず、図６及び図７と共に先に説明したように、フォルダ構成を含めて記録再生装置(3)のファイル構成がＤＣＦに準拠している否かが判断される(Ｓ５１)。ファイル構成がＤＣＦに準拠していると判断された場合、最初にバックアップされた、即ち最初に記録装置(7)のＨＤＤ(84)に書き込まれた画像ファイルが選択される(Ｓ５３)。
【００４６】
ステップＳ５３の後、選択された画像ファイルのファイル形式がＪＰＥＧ形式であるか否かが判断される(Ｓ５５)。図１２の左側は、ＪＰＥＧ形式の画像ファイルの構成を示す説明図である。例えば、画像ファイルに、図１２の左側に示すＳＯＩ(圧縮データスタート)等のマーカーコードがあるか否かによって、ステップＳ５５の判断がなされる。ステップＳ５５にて、画像ファイルのファイル形式がＪＰＥＧ形式であると判断された場合、その画像ファイルのファイル形式がＥｘｉｆ規格に準拠しているか否かが判断される(Ｓ５７)。図１２の右側は、ＪＰＥＧ形式の画像ファイルがＥｘｉｆ規格に準拠している場合におけるＡＰＰ１(アプリケーション・マーカーセグメント１)の構成を示す説明図である。例えば、画像ファイルのＡＰＰ１が、図１２の右側に示すようなＥｘｉｆ規格に準拠した構成を有しているか否かによって、ステップＳ５７の判断がなされる。
【００４７】
図１２の右側に示す０ｔｈ ＩＦＤには、Ｅｘｉｆ規格に特有の画像情報に関するタグで構成されたＥｘｉｆ ＩＦＤ(図示せず)が含まれる。ステップＳ５７にて、画像ファイルがＥｘｉｆ規格に準拠していると判断された場合、図１２の右側に示すＥｘｉｆ識別コードの存在が確認された後(Ｓ５９)、選択された画像ファイルについて、Ｅｘｉｆ ＩＦＤの内容が確認されて、ＲＡＭ(74)に記憶される(Ｓ６１)。これにて、画像の幅及び高さやＥｘｉｆ規格のバージョン等に関する情報が確認されて、ＲＡＭ(74)に記憶される。ステップＳ６１の後、図１２の左側に示すＤＱＴ(量子化テーブル)、ＤＨＴ(ハフマンテーブル)、ＳＯＦ(フレームヘッダ)及びＳＯＳ(スキャンヘッダ)の内容が確認されて、ＲＡＭ(74)に記憶される(Ｓ６３)。これらは、図５のステップＳ２３にて、バックアップ完了画像ファイルを生成する際に、ＪＰＥＧ方式に基づいて符号化を行うために参照される。また、ステップＳ６１にて記憶した画像の幅及び高さは、ステップＳ２３にて、バックアップ完了画像ファイルの画像サイズを設定する際に参照される。
【００４８】
ステップＳ５７にて、画像ファイルのファイル形式がＥｘｉｆ規格に準拠していないと判断された場合、そのファイル形式は、ＪＦＩＦ(JPEG File Interchange Fortmat)形式と特定できる。この場合、画像ファイルのＪＦＩＦ識別コードが確認された後(Ｓ６５)、ＤＱＴ、ＤＨＴ、ＳＯＦ及びＳＯＳの内容が確認されて、ＳＯＦに記述されている画像のライン数及び１ラインの画素数等の内容が、ステップＳ２３で用いる参照情報としてＲＡＭ(74)に記憶される(Ｓ６７)。その後、選択された画像ファイルの次にバックアップされた画像ファイルがあるか否かが、言い換えるとバックアップした全ての画像ファイルについてファイル形式を確認する処理を行ったか否かが判断される(Ｓ６９)。ステップＳ６９にて、次の画像ファイルがあると判断された場合、その画像ファイルが選択されて(Ｓ７１)、ステップＳ５５が再度行われる。
【００４９】
ステップＳ５５にて、選択された画像ファイルのファイル形式がＪＰＥＧ形式ではないと判断された場合、そのファイル形式が、図１３に示すようなＴＩＦＦ形式(非圧縮形式)のファイルであるか否かが判断される(Ｓ７３)。その後、画像の幅(ＩｍａｇｅＬｅｎｇｔｈ)及び高さ(ＩｍａｇｅＷｉｄｔｈ)等の種々の情報が含まれたタグの内容が、選択された画像ファイルから読み出されて記憶される(Ｓ７５)。ステップＳ７３にて、選択された画像ファイルがＴＩＦＦ形式のファイルではないと判断された場合、ステップＳ６９が行われる。
【００５０】
ステップＳ６９にて、次にバックアップされた画像ファイルがない、つまり、バックアップした全ての画像ファイルについてファイル形式を特定する処理が行われたと判断された場合、一度でもＪＦＩＦ形式のファイルが検出されて、ステップＳ６５及びＳ６７が行われたか否かが判断される(Ｓ７７)。一度でもＪＦＩＦ形式のファイルが検出された場合、ステップＳ２３で用いる参照情報として、最後に行ったステップＳ６７にて記憶したタグ情報が採用される(Ｓ７９)。
【００５１】
ステップＳ７７にて、ＪＦＩＦ形式のファイルが検出されていないと判断された場合、バックアップした全ての画像ファイルについて、ファイル形式を特定できなかったことから、所定のファイル形式の画像ファイルを生成するための画像情報が、ステップＳ２３で用いる参照情報として採用される(Ｓ８１)。本実施例では、Ｅｘｉｆ規格に準拠したＪＰＥＧ形式の画像ファイルを生成するための(ＤＱＴ及びＤＨＴ等に関する)予め定められた情報が、ＲＯＭ(72)に記憶されており、該情報がステップＳ８１にて参照情報として採用される。なお、画像サイズは、６８０×４８０とされる。
【００５２】
ステップＳ５１にて、記録再生装置(3)のファイル構成がＤＣＦに準拠していないと判断された場合にも、基本的に上記と似た処理が行われる。まず、ステップＳ５３と同様に最初にバックアップされた画像ファイルが選択される(Ｓ８３)。その後、ステップＳ５５と同様に、画像ファイルのファイル形式がＪＰＥＧ形式であるか否かが判断される(Ｓ８５)。ファイル形式がＪＰＥＧ形式である場合、ステップＳ６５と同様にＪＦＩＦ識別コードが確認された後(Ｓ８７)、ステップＳ６７と同様に、ＤＱＴ、ＤＨＴ、ＳＯＦ及びＳＯＳの内容が確認されて、ステップＳ２３の参照情報としてＲＡＭ(74)に記憶される(Ｓ８９)。
【００５３】
ステップＳ８５にて、選択された画像ファイルのファイル形式がＪＰＥＧ形式でないと判断された場合、ステップＳ７３と同様に、ファイル形式がＴＩＦＦ形式であるか否かが判断される(Ｓ９１)。ファイル形式がＴＩＦＦ形式である場合、ステップＳ７５と同様にタグの内容が記憶される(Ｓ９３)。ファイル形式がＴＩＦＦ形式ではない場合、ステップＳ６９と同様に、バックアップした全ての画像ファイルについてファイル形式を特定する処理を行ったか否かが判断される(Ｓ９５)。全ての画像ファイルについて処理が行われた場合、ステップＳ２３で用いる参照情報として、ＪＦＩＦ形式の画像ファイルを生成するための予め定められた情報(ＲＯＭ(72)に記憶)を採用する(Ｓ９７)。なお、画像サイズは、６８０×４８０とされる。ファイル形式を特定する処理を行っていない画像ファイルがある場合、次にバックアップされた画像ファイルが選択されて(Ｓ９９)、ステップＳ８５が再度行われる。
【００５４】
周知のように、ＤＣＦでは、Ｅｘｉｆ規格に準拠したＪＰＥＧ形式の画像ファイルと、ＴＩＦＦ形式の画像ファイルとがサポートされている。記録再生装置(3)がＤＣＦに準拠している場合、図１１にて説明した解析処理が行われることによって、通常、Ｅｘｉｆ規格に準拠したＪＰＥＧ形式、又はＴＩＦＦ形式が、記録再生装置(3)に記録される画像データのファイル形式として特定される。さらに、記録再生装置(3)にて表示可能な画像サイズ(の１つ)も特定される。仮に、記録再生装置(3)の記録媒体(44)に、ＤＣＦではサポートされていないＪＦＩＦ形式等の画像ファイルが混在している場合であっても、上記の説明から理解されるように、図１１の解析処理では、Ｅｘｉｆ規格に準拠したＪＰＥＧ形式、又はＴＩＦＦ形式が、記録再生装置(3)の画像データのファイル形式として特定され、さらに、表示可能な画像サイズも特定される。このように特性されたファイル形式と画像サイズを有するように、図５に示すステップＳ２３にて、バックアップ画像ファイルを生成することで、該画像ファイルが記録再生装置(3)にて確実に再生される。
【００５５】
記録再生装置(3)の記録媒体(44)に記録されているフォルダ・ファイル構成がＤＣＦに準拠しているが、画像ファイル自体はＤＣＦに準拠しておらず、記録媒体(44)に記録されている画像ファイルの全てが、例えば、ＰＣ等の外部装置から送られたＪＦＩＦ形式の画像ファイルである事態も想定される。本実施例では、ＪＦＩＦ形式の画像ファイルのみが記録装置(7)にバックアップされた場合には、記録再生装置(3)はＪＦＩＦ形式の画像ファイルを再生可能であると判断して、図１１の解析処理では、記録再生装置(3)の画像データのファイル形式として、ＪＦＩＦ形式が最終的に特定される。これは、一般的なＪＰＥＧのフォーマットであるＪＦＩＦ形式及びＴＩＦＦ形式の画像ファイルが再生される可能性が高いことを考慮した処理である。また、同様な趣旨から、記録再生装置(3)の画像ファイルがＤＣＦに準拠していないと判断された場合に、ステップＳ８３以降の処理を行うことで、ＪＦＩＦ形式又はＴＩＦＦ形式を特定する試みがなされる。
【００５６】
極めてまれなケースとして、バックアップされる画像データの全てが、(例えば、ＰＣ等から記録再生装置(3)に送られた)ＢＭＰ形式やＰＩＣＴ形式等の画像ファイルであることが想定される。このような場合、記録再生装置(3)で再生される可能性の高い何らかのファイル形式を特定する必要があるので、本実施例では、 記録再生装置(3)のファイル構成がＤＣＦ準拠と判断されると、Ｅｘｉｆ規格に準拠したＪＰＥＧ形式が(ステップＳ８１)、ＤＣＦ準拠ではないと判断されると、ＪＦＩＦ形式が選択されている(ステップＳ９７)。
【００５７】
次に、バックアップ完了画像ファイルの生成処理(図５に示すステップＳ２３)について説明する。図１４は、ＣＰＵ(70)により実行される処理の詳細を示すフローチャートである。まず、図１１に示した解析処理(ステップＳ２１)にて、Ｅｘｉｆ規格に準拠したＪＰＥＧ形式が特定されたか否か(ステップＳ６１及びＳ６３が行われたか否か)が判断される(Ｓ１１１)。Ｅｘｉｆ規格に準拠したＪＰＥＧ形式が特定されなかった場合、ＴＩＦＦ形式が特定されたか否か(ステップＳ７５又はＳ９３が行われたか否か)が判断される(Ｓ１１３)。ＴＩＦＦ形式が特定されなかった場合、ＪＦＩＦ形式が特定されたか否か(ステップＳ７９又はＳ８９が行われたか否か)が判断される(Ｓ１１５)。ステップＳ１１１、Ｓ１１３又はＳ１１５にて、ファイル形式が特定されたと判断された場合、バックアップ完了画像ファイルの生成が開始される(Ｓ１１７)。
【００５８】
ステップＳ１１７の後、特定したファイル形式に対応した方式で符号化等を行って、バックアップ完了画像ファイルを生成するための設定が、図１１に示した解析処理にて記憶した参照情報に基づいて行われる(Ｓ１１９)。なお、ステップＳ１１９では、特定されたファイル形式がＴＩＦＦ形式である場合には、ＪＰＥＧ形式でバックアック画像ファイルを生成する設定がなされる(ステップＳ７５が行われた場合、Ｅｘｉｆ準拠ＪＰＥＧ形式。ステップＳ９３が行われた場合、ＪＦＩＦ形式)。具体的には、ファイルの圧縮率を決める量子化テーブルＤＱＴと符号化のためのハフマンテーブルＤＨＴについては、ＲＯＭ(72)に記憶された予め決められた情報が採用され、ＳＯＦに設定する画像のライン数と１ラインの画素数については、ステップＳ７５又はＳ９３で取得したＴＩＦＦ形式の画像ファイルの情報が反映される。これは、ＴＩＦＦ形式の画像ファイルを記録・再生可能な記録再生装置では、通常、ＪＰＥＧ形式の画像ファイルを記録・再生可能であって、後者の方がファイルサイズが小さいことを考慮した処理である。ステップＳ１１９の後、図１１の解析処理にて記憶した参照情報に基づいて、バックアップ完了画像ファイルの画像サイズの設定が行われる(Ｓ１２１)。これにて、記録再生装置(3)の画像ファイルのファイル形式及び画像サイズを解析して決定されたファイル形式及び画像サイズに基づいて、バックアップ完了画像ファイルを生成する準備が完了する。
【００５９】
ステップＳ１１５にて、ＪＦＩＦ形式が特定されていないと判断された場合、即ち、図１１の解析処理にてファイル形式が特定されていない場合、図１１のステップＳ５１の結果が参照されて、記録再生装置(3)の記録媒体(44)にＤＣＦに準拠した構成のフォルダがあるか否かが確認される(Ｓ１２３)。ＤＣＦに準拠した構成のフォルダがある場合、バックアップ画像ファイルの生成が開始されて(Ｓ１２５)、図１１のステップＳ８１で設定した参照情報に基づいて、Ｅｘｉｆ規格に準拠したＪＰＥＧ形式の画像ファイルを生成する設定(Ｓ１２７)と、さらには、画像サイズを６８０×４８０とする設定が行われる(Ｓ１２９)。 ステップＳ１２３にて、ＤＣＦに準拠した構成のフォルダがないと判断された場合、バックアップ画像ファイルの生成が開始され(Ｓ１３１)、図１１のステップＳ９７で設定した参照情報に基づいて、ＪＦＩＦ形式の画像ファイルを生成する設定(Ｓ１３３)と、さらには、画像サイズを６８０×４８０とする設定が行われる(Ｓ１３５)。
【００６０】
本実施例では、図１１の解析処理にてファイル形式が特定されていない場合、記録再生装置(3)のフォルダ構成がＤＣＦに準拠している場合、記録再生装置(3)はＤＣＦ仕様であると推測されて、ＤＣＦでサポートされているＥｘｉｆ準拠ＪＰＥＧ形式で、バックアップ完了画像ファイルを生成する設定が行われる。また、記録再生装置(3)のフォルダ構成がＤＣＦに準拠していない場合、ＤＣＦ仕様以外の記録再生装置にて、広く再生可能なＪＦＩＦ形式で、バックアップ完了画像ファイルを生成する設定が行われる。ＤＣＦに準拠したフォルダ構成の有無に拘わらず、生成されるバックアップ完了画像ファイルの画像サイズは、６８０×４８０とされる。この画像サイズは、ＶＧＡサイズと呼ばれており、基本的な画像の解像度である。故に、画像サイズを６８０×４８０にすることで、バックアップ完了画像ファイルが記録再生装置(3)で再生される可能性が高くなる。
【００６１】
ステップＳ１２１、Ｓ１２９又はＳ１３５が行われた後、ＲＡＭ(74)をワークエリアとして、図４に示す画像の背景データをＲＧＢ信号形式で生成する処理が行われる(Ｓ１３７)。次に、図５のステップＳ１９に示すバックアップファイル数ｎ(図４に例示するケースでは、最終的に５００)が参照されて(Ｓ１３９)、そのファイル数ｎの画像ファイルのバックアップが完了したことを示す文字列のフォントデータが、ＲＯＭ(72)から読み出されて、画像サイズに合わせて適当なサイズに変更される(Ｓ１４１)。その後、ステップＳ１３７で生成した背景データと、ステップＳ１４１で読出し及びサイズ変更されたフォントデータとが画像合成される(Ｓ１４３)。そして、ステップＳ１４３にて生成された画像データを、上述のように設定されたファイル形式に変換する処理が行われて(Ｓ１４５)、バックアップ完了画像ファイルの生成処理が完了する。
【００６２】
簡単のために、記録再生装置(3)の記録媒体(44)に(静止)画像データのみが記録されているとして説明を行ってきたが、音声データ、動画像データ又はテキストデータ等の画像データ以外のデータが、画像データと共に記録媒体(44)に記録されている場合でも、本実施例の記録システム(1)にて、バックアップ完了画像ファイルを生成して、それを記録装置(7)から記録再生装置(3)に送って再生できることは容易に理解できるであろう(単に、音声データ等に係るファイルを、ファイル形式を特定できない画像ファイルに含まれるものとして、図５及び図１１のフローチャートを理解すればよい)。つまり、本実施例の記録システム(1)では記録媒体(44)に記録されているデータの種別に拘わらず、バックアップ完了後、バックアップ完了画像ファイルが記録再生装置(3)に送られて再生される。
【００６３】
上記実施例では、通信ケーブル(11)を介して記録再生装置(3)と記録装置(7)との間で通信を行うことで、記録再生装置(3)のデータのバックアップと、バックアップ完了画像ファイルの転送とが行われているが、例えば、記録装置(7)に、記録再生装置(3)の記録媒体ドライブ(40)のような記録媒体ドライブを設けて、記録媒体(44)を記録装置(7)に装着してデータのバックアップが行われてもよい。そして、生成されたバックアップ完了画像ファイルは、記録装置(7)にて記録媒体(44)に書き込まれてもよい。
【００６４】
上記実施例の説明は、本発明を説明するためのものであって、特許請求の範囲に記載の発明を限定し、或は範囲を減縮する様に解すべきではない。本発明の各部構成は上記実施例に限らず、特許請求の範囲に記載の技術的範囲内で種々の変形が可能であることは勿論である。
【図面の簡単な説明】
【００６５】
【図１】本発明の実施例である記録システムの概要を示す説明図である。
【図２】本発明の記録システムに含まれる記録再生装置の概要を示すブロック図である。
【図３】本発明の記録装置の概要を示すブロック図である。
【図４】本発明の記録システムに含まれる記録再生装置で表示されるバックアップ完了画面の一例を示す説明図である。
【図５】本発明の記録装置がバックアップ動作にて行う処理を示すフローチャートである。
【図６】ＤＣＦに準拠したデジタルカメラにおける、記録媒体のフォルダ構成を示す説明図である。
【図７】ＤＣＦに準拠したデジタルカメラにおける、画像ファイルのファイル名の構成を示す説明図である。
【図８】ＣＢＷのフォーマットを示す説明図である。
【図９】ＣＢＷＣＢの構成を示す説明図である。
【図１０】バックアップ画像ファイルの表示を指示する場合におけるＣＢＷＣＢの構成を示す説明図である。
【図１１】バックアップされた画像ファイルのファイル形式を特定する解析処理を示すフローチャートである。
【図１２】Ｅｘｉｆ規格に準拠したＪＰＥＧ形式の画像ファイルの構成を示す説明図である。
【図１３】ＴＩＦＦ形式の画像ファイルの構成を示す説明図である。
【図１４】バックアップ完了画像ファイルの生成処理を示すフローチャートである。
【符号の説明】
【００６６】
(1)     記録システム
(3)     記録再生装置
(7)     記録装置
(11)    通信ケーブル
(42)    ＵＳＢ端子
(44)    記録媒体
(54)    表示部
(84)    ハードディスク装置
(92)    ＵＳＢ端子
【図１】
2006259994.tif 000003
【図２】
2006259994.tif 000004
【図３】
2006259994.tif 000005
【図４】
2006259994.tif 000006
【図５】
2006259994.tif 000007
【図６】
2006259994.tif 000008
【図７】
2006259994.tif 000009
【図８】
2006259994.tif 000010
【図９】
2006259994.tif 000011
【図１０】
2006259994.tif 000012
【図１１】
2006259994.tif 000013
【図１２】
2006259994.tif 000014
【図１３】
2006259994.tif 000015
【図１４】
2006259994.tif 000016